(57)【要約】      （修正有）【課題】使用勝手の良好な、例えば空気袋の充填用などに使用する逆止弁を提供する。【解決手段】逆止弁１は、同一な帯状の第１、第２のフィルム１１、１２と、第１のフィルム１１の短辺と同一な短辺の長さを有する矩形形状の第３のフィルム１３と、第２のフィルム１２の短辺と同一な短辺の長さを有する矩形形状の第４のフィルム１４とを持つ。この第４のフィルム14と第２のフィルム12とは、第４のフィルム14の幅Ｗと第２のフィルム12の幅Ｗとを合致させて対向すると共に、第４のフィルム14は第２のフィルム12及び第１のフィルム11を介して、第３のフィルム13の形状に合致するように設けられる。第４のフィルム14、第２のフィルム12の矩形形状の一方の長辺は長辺に沿って溶着した第５の端部溶着部と、第４のフィルム14、第２のフィルム12の他方の長辺は長辺に沿って溶着した第６の端部溶着部とを有している。【選択図】図４
2005090529.tif 000002
【特許請求の範囲】
【請求項１】
矩形形状であって、同一な帯状の第１、第２のフィルムと、
この第１のフィルムと前記第２のフィルムとは、対向すると共に形状が合致するように設けられ、前記第１のフィルムと前記第２のフィルムとの当接する部分をハの字形状に溶着したハの字形状溶着部と、
このハの字形状溶着部の両傾斜部の先細りとなった第１の端部は、前記第１のフィルム及び前記第２のフィルムの矩形形状の一方の短辺を臨む位置にあり、
前記第１の端部と反対側の第２の端部は、前記第１のフィルム及び前記第２のフィルムの矩形形状の他方の短辺を臨む位置にあり、
前記第１のフィルムの矩形形状の一方の長辺と前記第２のフィルムの矩形形状の一方の長辺は前記一方の長辺に沿って溶着した第１の端部溶着部と、
前記第１のフィルムの矩形形状の他方の長辺と前記第２のフィルムの矩形形状の他方の長辺は前記他方の長辺に沿って溶着した第２の端部溶着部と、
矩形形状であって、同一な帯状の第３、第４のフィルムと、
前記第１のフィルムの短辺と同一な短辺の長さを有する矩形形状の第３のフィルムと、
この第３のフィルムと前記第１のフィルムとは、前記第３のフィルムの幅と前記第１のフィルムの幅とを合致させて対向するように設けられ、前記第３のフィルムの矩形形状の一方の長辺と前記第１のフィルムの矩形形状の一方の長辺は前記一方の長辺に沿って溶着した第３の端部溶着部と、
前記第３のフィルムの他方の長辺と前記第１のフィルムの他方の長辺は前記他方の長辺に沿って溶着した第４の端部溶着部と、
前記第２のフィルムの短辺と同一な短辺の長さを有する矩形形状の第４のフィルムと、
この第４のフィルムと前記第２のフィルムとは、前記第４のフィルムの幅と前記第２のフィルムの幅とを合致させて対向すると共に、前記第４のフィルムは前記第２のフィルム及び前記第１のフィルムを介して、前記第３のフィルムの形状に合致するように設けられ、
前記第４のフィルムの矩形形状の一方の長辺と前記第２のフィルムの矩形形状の一方の長辺は前記一方の長辺に沿って溶着した第５の端部溶着部と、
前記第４のフィルムの矩形形状の他方の長辺と前記第２のフィルムの矩形形状の他方の長辺は前記他方の長辺に沿って溶着した第６の端部溶着部と、
を有していることを特徴とする逆止弁。
【請求項２】
第１のフィルムの長辺は、第３のフィルムの長辺より長く、
前記第１のフィルムの他方の短辺は、前記第３のフィルムの一方の短辺より前記第３のフィルムの他方の短辺に近い側に位置し、前記第１のフィルムの他方の短辺は前記第３のフィルムの他方の短辺より外方に突出し、
第２のフィルムの長辺は、第４のフィルムの長辺より長く、
前記第２のフィルムの他方の短辺は、前記第４のフィルムの一方の短辺より前記第４のフィルムの他方の短辺に近い側に位置し、前記第２のフィルムの他方の短辺は前記第４のフィルムの他方の短辺より外方に突出している
ことを特徴とする請求項１記載の逆止弁。
【請求項３】
第２の端部は、空気供給流れに対して第１の端部より上流側に位置し、
ハの字形状溶着部は複数設けられ、複数の前記ハの字形状溶着部は、前記空気供給流れに対して間隔を設けて直列に配置されている
ことを特徴とする請求項１記載の逆止弁。
【発明の詳細な説明】
【技術分野】
【０００１】
本発明は、逆止弁に係り、特に、使用勝手の良好な逆止弁に関する。
【背景技術】
【０００２】
二枚のフィルムを使用して逆止弁の機能を備えたものがある（例えば、特許文献１参照）。
これは、矩形形状であって、同一な第１、第２のフィルムと、この第１のフィルムと前記第２のフィルムとは、対向すると共に形状が合致するように設けられ、前記第１のフィルムと前記第２のフィルムとの当接する部分をハの字形状に溶着したハの字形状溶着部と、このハの字形状溶着部の両傾斜部の先細りとなった第１の端部は、前記第１のフィルム及び前記第２のフィルムの矩形形状の短辺の一方を臨む位置にあり、前記ハの字形状溶着部の前記第１の端部と反対側の第２の端部は、前記第１のフィルム及び前記第２のフィルムの矩形形状の短辺の他方を臨む位置にあり、前記第１のフィルム、前記第２のフィルムの矩形形状の長辺の端部の一方は前記端部の一方に沿って溶着した第１の端部溶着部と、前記第１のフィルム、前記第２のフィルムの矩形形状の長辺の端部の他方は前記端部の他方に沿って溶着した第２の端部溶着部とを有している。
【特許文献１】特開２０００−３５５３３２号公報（段落番号［０００５］の「栓４は気密袋１の内部に向けて突出する逆止弁を使用し、」の記載、図１、図３参照）。
【発明の開示】
【発明が解決しようとする課題】
【０００３】
しかしながら、上述した逆止弁にあっては、逆止弁を介して空気を供給する際、急激な空気の供給によりハの字形状溶着部に力が急激に作用し、ハの字形状溶着部が破損し、逆止弁の機能を果たさないという問題点が生じた。
本発明は、上述した問題点を除去するようにした逆止弁を提供するものである。
【課題を解決するための手段】
【０００４】
上記目的を達成するために、請求項１記載の逆止弁は、矩形形状であって、同一な帯状の第１、第２のフィルムと、この第１のフィルムと前記第２のフィルムとは、対向すると共に形状が合致するように設けられ、前記第１のフィルムと前記第２のフィルムとの当接する部分をハの字形状に溶着したハの字形状溶着部と、このハの字形状溶着部の両傾斜部の先細りとなった第１の端部は、前記第１のフィルム及び前記第２のフィルムの矩形形状の一方の短辺を臨む位置にあり、前記第１の端部と反対側の第２の端部は、前記第１のフィルム及び前記第２のフィルムの矩形形状の他方の短辺を臨む位置にあり、前記第１のフィルムの矩形形状の一方の長辺と前記第２のフィルムの矩形形状の一方の長辺は前記一方の長辺に沿って溶着した第１の端部溶着部と、前記第１のフィルムの矩形形状の他方の長辺と前記第２のフィルムの矩形形状の他方の長辺は前記他方の長辺に沿って溶着した第２の端部溶着部と、矩形形状であって、同一な帯状の第３、第４のフィルムと、前記第１のフィルムの短辺と同一な短辺の長さを有する矩形形状の第３のフィルムと、この第３のフィルムと前記第１のフィルムとは、前記第３のフィルムの幅と前記第１のフィルムの幅とを合致させて対向するように設けられ、前記第３のフィルムの矩形形状の一方の長辺と前記第１のフィルムの矩形形状の一方の長辺は前記一方の長辺に沿って溶着した第３の端部溶着部と、前記第３のフィルムの他方の長辺と前記第１のフィルムの他方の長辺は前記他方の長辺に沿って溶着した第４の端部溶着部と、前記第２のフィルムの短辺と同一な短辺の長さを有する矩形形状の第４のフィルムと、この第４のフィルムと前記第２のフィルムとは、前記第４のフィルムの幅と前記第２のフィルムの幅とを合致させて対向すると共に、前記第４のフィルムは前記第２のフィルム及び前記第１のフィルムを介して、前記第３のフィルムの形状に合致するように設けられ、前記第４のフィルムの矩形形状の一方の長辺と前記第２のフィルムの矩形形状の一方の長辺は前記一方の長辺に沿って溶着した第５の端部溶着部と、前記第４のフィルムの矩形形状の他方の長辺と前記第２のフィルムの矩形形状の他方の長辺は前記他方の長辺に沿って溶着した第６の端部溶着部とを有している。
【０００５】
また、請求項２記載の逆止弁は、請求項１記載の逆止弁において、第１のフィルムの長辺は、第３のフィルムの長辺より長く、前記第１のフィルムの他方の短辺は、前記第３のフィルムの一方の短辺より前記第３のフィルムの他方の短辺に近い側に位置し、前記第１のフィルムの他方の短辺は前記第３のフィルムの他方の短辺より外方に突出し、第２のフィルムの長辺は、第４のフィルムの長辺より長く、前記第２のフィルムの他方の短辺は、前記第４のフィルムの一方の短辺より前記第４のフィルムの他方の短辺に近い側に位置し、前記第２のフィルムの他方の短辺は前記第４のフィルムの他方の短辺より外方に突出している。
【０００６】
また、請求項３記載の逆止弁は、請求項１記載の逆止弁において、第２の端部は、空気供給流れに対して第１の端部より上流側に位置し、ハの字形状溶着部は複数設けられ、複数の前記ハの字形状溶着部は、前記空気供給流れに対して間隔を設けて直列に配置されている。
【発明の効果】
【０００７】
請求項１記載の逆止弁によれば、第１のフィルムと第２のフィルムとの当接する部分をハの字形状に溶着したハの字形状溶着部の外方の一方の面は、第３のフィルムにより、ハの字形状溶着部の外方の他方の面は、第４のフィルムにより覆われるため、逆止弁を介して空気を供給する際、急激な空気の供給によりハの字形状溶着部付近の第１、第２のフィルムが変形しようとするが、第３のフィルム、第４のフィルムにより規制を受け、従来のように変形できず、その分、ハの字形状溶着部に力が作用せず、ハの字形状溶着部の破損を防ぐことができ、
しかも、逆止弁を介して空気を供給した後、第１のフィルムと第３のフィルムとの間、第２のフィルムと第４のフィルムとの間に空気が侵入でき、第１のフィルムと第２のフィルムとの空気の流通路である間隙を塞ぎ、更に、第１のフィルムは第３のフィルムを介し、第２のフィルムは第４のフィルムを介して、押圧され、シ−ル性を向上させることができる。
【０００８】
また、請求項２記載の逆止弁によれば、請求項１記載の発明の効果に加え、逆止弁を介して空気を供給する際、第１のフィルム、第２のフィルムは、それぞれ第３のフィルム、第４のフィルムにより覆われるが、第１のフィルム及び第２のフィルムの端部が第３のフィルム及び第４のフィルムより外方に突出しているため、第１のフィルムと第２のフィルムの間に空気導入通路を差し込み易くなる。
【実施例】
【０００９】
本発明の一実施例の逆止弁を図面を参照して説明する。
図１乃至図２において、１は逆止弁で、逆止弁１は、例えば、袋100 内に空気を入れるポンプ（図示せず）により、逆止弁１を介して袋100 内に空気を封入できるようになっている。
空気の封入を停止すると、図３及び図４に示すように、袋100 内の空気が、第１のフィルム11と第３のフィルム13との間、又は、第２のフィルム12と第４のフィルム14との間に侵入したり、又は、袋100 内の空気が第３のフィルム13を介して第１のフィルム11を、第４のフィルム14を介して第２のフィルム12を押圧して、第１のフィルム11と第２のフィルム12との空気の流通路である間隙を塞いで、袋100 内の空気が外へと排出されないようになっている（図４及び図９参照）。
【００１０】
第１のフィルム11及び第２のフィルム12は、図10に示すように、矩形形状であって、同一な帯状なものとなっている。
第１のフィルム11と第２のフィルム12とは、対向すると共に形状が合致するように設けられており、第１のフィルム11と第２のフィルム12との当接する部分をハの字形状に溶着（例えば、熱により溶着する。）して、ハの字形状溶着部８を形成している（図11の斜線部参照）。
このハの字形状溶着部８の両傾斜部81、82の先細りとなった第１の端部８ａは、第１のフィルム11及び第２のフィルム12の矩形形状の一方の短辺Ｓ1 を臨む位置にある（図５、図７、図８、図１１参照）。
また、ハの字形状溶着部８の第１の端部８ａと反対側の第２の端部８ｂは、第１のフィルム11及び第２のフィルム12の矩形形状の他方の短辺Ｓ2 を臨む位置にある。
そして、第２の端部８ｂは、空気供給流れに対して第１の端部８ａより上流側に位置し、ハの字形状溶着部８は複数設けられ、複数のハの字形状溶着部８は、空気供給流れに対して間隔を設けて直列に配置されている（図１参照）。
また、第１のフィルム11の矩形形状の一方の長辺Ｌ1 と第２のフィルム12の矩形形状の一方の長辺Ｌ1 は一方の長辺Ｌ1 に沿って溶着（例えば、熱により溶着する。）して、第１の端部溶着部Ｙ1 を形成している（図２参照）。言い換えれば、第１のフィルム11と第２のフィルム12とは、一方の長辺Ｌ1 の端部同士が溶着している。
同様に、第１のフィルム11、第２のフィルム12の矩形形状の他方の長辺Ｌ2 は、他方の長辺Ｌ2 に沿って溶着（例えば、熱により溶着する。）して、第２の端部溶着部Ｙ2 を形成している（図２参照）。言い換えれば、第１のフィルム11と第２のフィルム12とは、他方の長辺Ｌ2 の端部同士が溶着している。
【００１１】
また、第３のフィルム13及び第４のフィルム14は、図12に示すように、矩形形状であって、同一な帯状のものとなっている。そして、第３のフィルム13は、第１のフィルム11の短辺（Ｓ1 、Ｓ2 ）と同一な短辺の長さＷを有する（つまり、第３のフィルム13と第１のフィルム11の幅寸法Ｗが同じである。）。
第４のフィルム14は第３のフィルム13と同様に、第２のフィルム12の短辺（Ｓ1 、Ｓ2 ）と同一な短辺の長さＷを有する（つまり、第４のフィルム14と第２のフィルム12の幅寸法Ｗが同じである。）。
第３のフィルム13と第１のフィルム11とは、図12に示すように、第３のフィルム13の幅Ｗと第１のフィルム11の幅Ｗとを合致させて対向するように設けられ、第３のフィルム13の矩形形状の一方の長辺Ｌ3 と第１のフィルム11の矩形形状の一方の長辺Ｌ1 は前記一方の長辺Ｌ3 、Ｌ1 に沿って溶着（例えば、熱により溶着する。）して、第３の端部溶着部Ｙ3 を形成している（図２参照）。言い換えれば、第３のフィルム13と第１のフィルム11とは、一方の長辺Ｌ3 、Ｌ1 の端部同士が溶着している。
また、第３のフィルム13の他方の長辺Ｌ4 と第１のフィルム11の他方の長辺Ｌ2 は他方の長辺Ｌ4 、Ｌ2 に沿って溶着（例えば、熱により溶着する。）して、第４の端部溶着部Ｙ4 を形成している（図２参照）。言い換えれば、第３のフィルム13と第１のフィルム11とは、他方の長辺Ｌ4 、Ｌ2 の端部同士が溶着している。
【００１２】
そして、第４のフィルム14と第２のフィルム12とは、図12に示すように、第４のフィルム14の幅Ｗと第２のフィルム12の幅Ｗとを合致させて対向すると共に、第４のフィルム14は第２のフィルム12及び第１のフィルム11を介して、第３のフィルム13の形状に合致するように設けられ、つまり、第４のフィルム14は、第２のフィルム12及び第１のフィルム11を介して、第３のフィルム13と重なり合うように設けられている。
また、第４のフィルム14の矩形形状の一方の長辺Ｌ3 と第２のフィルム12の矩形形状の一方の長辺Ｌ1 は一方の長辺Ｌ3 、Ｌ1 に沿って溶着（例えば、熱により溶着する。）した第５の端部溶着部Ｙ5 を形成している（図２参照）。言い換えれば、第４のフィルム14と第２のフィルム12とは、一方の長辺Ｌ3 、Ｌ1 の端部同士が溶着している。
また、第４のフィルム14の矩形形状の他方の長辺Ｌ4 と第２のフィルム12の矩形形状の他方の長辺Ｌ2 は他方の長辺Ｌ4 、Ｌ2 に沿って溶着（例えば、熱により溶着する。）して、第６の端部溶着部Ｙ6 を形成している（図２参照）。言い換えれば、第４のフィルム14と第２のフィルム12とは、他方の長辺Ｌ4 、Ｌ2 の端部同士が溶着している。
【００１３】
なお、上述した逆止弁１は、例えば、図10に示すように、第１のフィルム11と第２のフィルム12と対向させ、図11に示すように、第１のフィルム11と第２のフィルム12との当接する部分をハの字形状に溶着する。溶着後、図12に示すように、第３のフィルム13を第１のフィルム11に、第４のフィルム14を第２のフィルム12に対向するように設け、第３のフィルム13、第１のフィルム11、第２のフィルム12、第４のフィルム14の順に積層する。    積層後、フィルムの長辺側の両端部を溶着（例えば、熱により溶着する。）して第１の端部溶着部Ｙ1 、第２の端部溶着部Ｙ2 、第３の端部溶着部Ｙ3 、第４の端部溶着部Ｙ4 、第５の端部溶着部Ｙ5 、第６の端部溶着部Ｙ6 を同時に形成する。
【００１４】
従って、この実施例の逆止弁１によれば、第１のフィルム11と第２のフィルム12との当接する部分をハの字形状に溶着したハの字形状溶着部８の外方の一方の面は、第３のフィルム13により、ハの字形状溶着部８の外方の他方の面は、第４のフィルム14により覆われるため、逆止弁１を介して空気を供給する際（他方の短辺Ｓ2 側から空気を供給する。）、急激な空気の供給によりハの字形状溶着部８付近の第１、第２のフィルム11、12が変形しようとするが、第３のフィルム13、第４のフィルム14により規制を受け、従来のように変形できず、その分、ハの字形状溶着部８に力が作用せず、ハの字形状溶着部８の破損を防ぐことができ、しかも、逆止弁１を介して空気を供給した後、第１のフィルム11と第３のフィルム13との間、第２のフィルム12と第４のフィルム14との間に空気が侵入でき、第１のフィルム13と第２のフィルム12との空気の流通路である間隙を塞ぎ、更に、第１のフィルム11は第３のフィルム13を介し、第２のフィルム12は第４のフィルム14を介して、押圧され、シ−ル性を向上させることができる。
【００１５】
なお、図３、図４、図５、図６、図12に示すように、第１のフィルム11及び第２のフィルム12の長辺Ｌ1 、Ｌ2 は、第３のフィルム13及び第４のフィルム14の長辺Ｌ3 、Ｌ4 より長くなっている。
そして、第１のフィルム11の他方の短辺Ｓ2 は、図５及び図６に示すように、第３のフィルム13の一方の短辺Ｓ3 より第３のフィルム13の他方の短辺Ｓ4 に近い側に位置し、第１のフィルム11の他方の短辺Ｓ2 は第３のフィルム13の他方の短辺Ｓ4 より外方に突出し、また、第２のフィルム12の他方の短辺Ｓ2 は、第４のフィルム14の一方の短辺Ｓ3 より第４のフィルム14の他方の短辺Ｓ2 に近い側に位置し、第２のフィルム12の他方の短辺Ｓ2 は第４のフィルム14の他方の短辺Ｓ4 より外方に突出している。
従って、逆止弁１を介して空気を供給する際、外方に突出している第１のフィルム11と第２のフィルム12の間に空気導入通路を差し込み易くなる。
【００１６】
なお、上述した逆止弁１は、図１乃至図12記載のものに限らず、図13乃至図15に示すように、第１のフィルム11の一方の短辺Ｓ1 は、第３のフィルム13の他方の短辺Ｓ4 より第３のフィルム13の一方の短辺Ｓ3 に近い側に位置し、第３のフィルム13の一方の短辺Ｓ3 は第１のフィルム11の他方の短辺Ｓ1 より外方に突出し、
また、第２のフィルム12の一方の短辺Ｓ1 は、第４のフィルム14の他方の短辺Ｓ4 より第４のフィルム14の一方の短辺Ｓ3 に近い側に位置し、第４のフィルム14の一方の短辺Ｓ3 は第２のフィルム12の他方の短辺Ｓ3 より外方に突出するようにしても良い。なお、図13乃至図15に、図１乃至図12記載と同一部分に同一符号を付して、その説明を省略する。
【図面の簡単な説明】
【００１７】
【図１】図１は、本発明の一実施例の逆止弁の使用状態の概略的断面図である。
【図２】図２は図１の２−２線による概略的断面図である。
【図３】図３は、図１の３−３線による概略的断面図である。
【図４】図４は、図３の袋内に空気供給を停止した状態における逆止弁の機能を説明するための概略的断面図である。
【図５】図５は、図１の逆止弁を拡大して示す概略的拡大平面図である。
【図６】図６は、図５の６−６線による概略的断面図である。
【図７】図７は、図５の７−７線による概略的断面図である。
【図８】図８は、図５をＸ方向から見た概略的図である。
【図９】図９は、図３の袋内に空気供給を停止した状態における図５の逆止弁の概略的断面図である。
【図１０】図１０は、第１のフィルムと第２のフィルムが対向して示される概略的斜視図である。
【図１１】図１１は、第１のフィルムと第２のフィルムとの当接する部分をハの字形状に溶着した状態の概略的斜視図である。
【図１２】図１２は、図１１の第１のフィルムと第２のフィルムとの当接する部分をハの字形状に溶着した第１のフィルム、第２のフィルムに、第３のフィルム、第４のフィルムがそれぞれ対向した状態の概略的斜視図である。
【図１３】図１３は、図５記載の逆止弁の他の実施例の概略的平面図である。
【図１４】図１４は、図１３の１４−１４線による概略的断面図である。
【図１５】図１５は、図１３の１５−１５線による概略的断面図である。
【符号の説明】
【００１８】
１  ・・・・・逆止弁
11  ・・・・・第１のフィルム
12  ・・・・・第２のフィルム
13  ・・・・・第３のフィルム
14  ・・・・・第４のフィルム
【図１】
2005090529.tif 000003
【図２】
2005090529.tif 000004
【図３】
2005090529.tif 000005
【図４】
2005090529.tif 000006
【図５】
2005090529.tif 000007
【図６】
2005090529.tif 000008
【図７】
2005090529.tif 000009
【図８】
2005090529.tif 000010
【図９】
2005090529.tif 000011
【図１０】
2005090529.tif 000012
【図１１】
2005090529.tif 000013
【図１２】
2005090529.tif 000014
【図１３】
2005090529.tif 000015
【図１４】
2005090529.tif 000016
【図１５】
2005090529.tif 000017